(57)【要約】      （修正有）【課題】盗難防止の効果が向上し、耐久性を高められる電気製品用符号錠を提供する。【解決手段】錠本体１０にはロック用ブロック１２にダイヤル用空間２１が設けられ、かつカバー２０には変位用空間２２においてロック用ブロック１２が設けられ、変位用空間２２には互いに貫通した組立室２３があり、押しボタン３０は組立室２３の中に設けられ、押しボタン３０の押し込み棒３２はダイヤル用空間２１に差し込まれ、またカバー２０には組立室２３において変位用空間２２に平行する縦溝２３１が設けられるため、押しボタン３０のピース体３３が縦溝２３１に収納され、押しボタン３０は滑り移動することにより錠の開閉の操作ができ、それにより、押しボタン３０の頭部はカバー２０から露出した部分が縮まり、押しボタン３０が占める空間が減らされる。更に、ピース体３３が変位用空間２２に隠れることで、小さい粉塵や砂などがカバーの中に落ちにくくなり、押しボタン３０の性能を向上させる。【選択図】図２
0003198592.tif 000002
【実用新案登録請求の範囲】
【請求項１】
電気製品用符号錠であって、錠本体と、カバーと、押しボタンと、固定部品とを含み、
該錠本体には複数のダイヤル輪が套設され、錠本体においてダイヤル輪に凸設される一端にはロック用ブロックが形成され、かつロック用ブロックとダイヤル輪の間にバネが挟設され、ロック用ブロックにおいてバネに近い端には連結孔が設けられ、かつバネから遠い端には回避溝が形成され、該回避溝の両側には二つのロックポールが平行に凸設され、
前記カバーは対称する二つの部品であり、それにより錠本体をカバー・収納し、カバーの中における同様な錠本体軸方向に沿って互いに貫通するダイヤル用空間と変位用空間が形成され、ダイヤル用空間がダイヤル輪を収納し、変位用空間がロック用ブロックを収納し、変位用空間にはカバーを通り抜ける十字孔が設けられ、ロック用ブロックのロックポールが十字孔から外へ凸設され、該カバーには組立室が設けられ、該組立室が変位用空間に連通し、該組立室には変位用空間に平行する縦溝が設けられ、それに該カバーには該十字孔の近くに固定溝が設けられ、
前記押しボタンはカバーの組立室の中に設けられ、該押しボタンの一端にはカバーから外へ突き出して組立室に入れない頭部が形成され、押しボタンの他の一端から伸びた押し込み棒があり、該押し込み棒はロック用ブロックの連結孔に挿入され、該押しボタンにおいて頭部と押し込み棒の間にはピース体が凸設され、該ピース体はカバーの縦溝の中に収納され、ピース体からの制限によって押しボタンは縦溝に沿って移動するしかなく、
前記固定部品には固定部が一端に形成され、他の一端に棒体が伸びており、該棒体の末端には一字形のロック棒が横設され、また固定部品が固定部によってカバーの固定溝に設けられることで、棒体が十字孔から外へ凸設され、ロック用ブロックは回避溝により固定部品を回避するため、ロックポールは固定部品の二つの側面で移動することができ、更に押しボタンがロック用ブロックを連動させて固定部品へ押してロックオンの状態となることを特徴とする電気製品用符号錠。
【請求項２】
前記カバーにおいて十字孔のある端の外周縁には係合部が形成され、該係合部はリング体に嵌め込まれるように構成されており、かつ係合部にはリング溝が設けられ、リング溝にはC形フックが嵌設され、C形フックがリング体を止めることにより、リング体はカバーから分離して外れることができないことを特徴とする請求項１の電気製品用符号錠。
【請求項３】
リング体はロックロープに連結し、該ロックロープを巻くことによって盗難の防止の効果が得られることを特徴とする請求項２の電気製品用符号錠。
【考案の詳細な説明】
【技術分野】
【０００１】
本発明は符号錠の構造に関し、特に押して移動させる方法で操作する電気製品用符号錠に関する。
【背景技術】
【０００２】
従来の符号錠の構造は、図８を示すように、主に中心部５０の後方には符号調整用ボタン５１が連結され、中心部５０の前方にはバネ５２により押し出された制動部品５３を連結させており、制動部品５３の外側縁にはコントロールボタン５４が連結され、制動部品５３の前方には固定部品６０とバネ６１が連結され、上述の各部品はカバーの組合せ７０の中に組み合わせられ、カバーの組合せ７０の前端はカバー６２に覆われる。その中で、中心部５０は符号ダイヤル輪により開閉することを制御し、番号が正しかったら、コントロール棒５５は押し動かされることができ、後方に連結した符号調整用ボタン５１は押し動かされることもできるため、符号錠の番号を調整することができる。制動部品５３は中心部５０とコントロール棒５５の前端に設けられ、その側面には斜めの押し溝５３１があり、押し溝５３１には二つの方向から伸びた位置制限突き縁５３２があり、コントロールボタン５４の内側には斜めの押し突き縁５４１があり、固定部品６０の後端に係合部６３があり、固定部品６０の前端から伸び出したＴ形位置制限棒６４があり、カバーの組合せ７０の後端には符号調整用ボタン５１をつけてある長条形の係合溝７１があり、カバーの組合せ７０の中心には中心部５０を収納する中心溝７２があり、カバーの組合せ７０の前方には制動溝７３が設けられる。それに加えて、カバーの組合せ７０の前端の外周縁には固定棒７５に合わされた固定孔７４が設けられ、カバー６２の一端には固定孔６２１が挿し込んだ状態で設けられることにより、固定棒７５は固定孔６２１の中で制限される。カバー６２の前方には十字孔６２２が挿し込んだ状態で設けられる。
上述の従来構造を詳しく見ると難点が見つかりやすく、主な原因は以下の通りである。(一) コントロールボタン５４は押す形式で使用されるため、コントロールボタン５４の押し突き縁５４１が制動部品５３の押し溝５３１に当接されることにより、位置制限突き縁５３２が圧縮され、錠の開き又は閉め状態が得られる。そこで、コントロールボタン５４がまだ押されていない時に、その全体の大半はカバーの組合せ７０の外に露出されてしまうため、コントロールボタン５４の体積は大き過ぎる恐れがある。更に、コントロールボタン５４と制動溝７３の間には隙間が存在するため、粉塵や砂などが制動溝７３の中に落ち易くなることで、コントロールボタン５４或いは制動部品５３が使用される時には不調になり、動かなくなる恐れもあるという欠点がある。(二) カバーの組合せ７０には固定孔７４に固定棒７５を挿入させ、しかもカバー６２には固定孔６２１に固定棒７５を套設させ、固定棒７５によりカバー６２の移動の範囲を制限し、使用する際、カバー６２は連続的に固定棒７５に接触し、即ち、固定棒７５はカバー６２からの影響により外れやすくなるため、カバー６２とカバーの組合せ７０は外れ易くなり、盗難の予防の効果に欠ける。
【０００３】
従って、本発明者は長年にわたる関連商品の製造開発と設計経験に基づき、上述の目標について、緻密に設計し、慎重に思案した後、実用性に満ちた本考案を得た。
【考案の概要】
【考案が解決しようとする課題】
【０００４】
現在の技術に存在する上述の難点を解決するために、電気製品用符号錠を提供する。
【課題を解決するための手段】
【０００５】
錠本体には複数のダイヤル輪が套設され、錠本体においてダイヤル輪に凸設される一端にはロック用ブロックが形成され、かつロック用ブロックとダイヤル輪の間にバネが挟設され、ロック用ブロックにおいてバネに近い端には連結孔が設けられ、しかもバネから遠い端には回避溝が形成され、該回避溝の両側には二つのロックポールが平行に凸設され、カバーは対称する二つの部品であり、それにより錠本体をカバー・収納し、カバーの中における同様な錠本体軸方向に沿って互いに貫通するダイヤル用空間と変位用空間が形成され、ダイヤル用空間がダイヤル輪を収納させ、変位用空間がロック用ブロックを収納させ、変位用空間にはカバーを通り抜ける十字孔が設けられ、ロック用ブロックのロックポールが十字孔から外へ凸設され、該カバーには組立室が設けられ、該組立室が変位用空間に連通し、該組立室には変位用空間に平行な縦溝が設けられ、それに該カバーには該十字孔の近くに固定溝が設けられ、該カバーにおいて十字孔のある端の外周縁には係合部が形成され、該係合部はリング体に嵌め込まれるように構成されており、かつ係合部にはリング溝が設けられ、リング溝にはC形フックが嵌設され、C形フックがリング体を止めることにより、リング体はカバーから分離して外れることができず、リング体はロックロープに連結し、該ロックロープを巻くことによって盗難の防止の効果が得られる。押しボタンはカバーの組立室の中に設けられ、該押しボタンの一端にはカバーから外へ突き出て組立室に入れない頭部が形成され、押しボタンの他の一端から伸びた押し込み棒があり、該押し込み棒はロック用ブロックの連結孔に挿しこまれ、該押しボタンにおいて頭部と押し込み棒の間にはピース体が凸設され、該ピース体はカバーの縦溝の中に収納され、ピース体からの制限によって押しボタンは縦溝に沿って移動するしかない。固定部品には固定部が一端に形成され、他の一端に棒体が伸びており、該棒体の末端には一字形のロック棒が横に設けられ、また固定部品は固定部によってカバーの固定溝に設けられることで、棒体が十字孔から外へ凸設されており、ロック用ブロックは回避溝により固定部品を回避する。
【０００６】
本考案の主な目的は、錠本体にはロック用ブロックにダイヤル用空間が設けられ、かつカバーには変位用空間においてロック用ブロックが設けられ、変位用空間には互いに貫通した組立室があり、押しボタンは組立室の中に設けられ、押しボタンの押し込み棒はダイヤル用空間に差し込まれ、またカバーには組立室において変位用空間に平行する縦溝が設けられるため、押しボタンのピース体が縦溝に収納され、押しボタンは滑り移動することにより錠の開閉の操作ができ、それにより、押しボタンの頭部はカバーから露出した部分が縮まり、押しボタンが占める空間が減らされる。更に、ピース体が変位用空間に隠れることで、小さい粉塵や砂などがカバーの中に落ちにくくなり、押しボタンの性能を向上させることができる。
本考案のもう一つの目的は、カバーは対称する二つの部品であり、錠本体と押しボタンと固定部品を収納させ、カバーの係合部にはリング体が套設され、係合部のリング溝にはC形フックが套設され、C形フックによりリング体を止めさせる。ロックオンの状態では、係合部リング溝とC形フックが外れず、更にリング体によりカバーを解体させることができず、それにより盗難防止の効果が向上できる。それに、カバーはリング体とC形フックに対応する構造であり、リング体とC形フックにより固定されるため、外れることがなくなるため、使用するとき、操作動作がその組合せ状態を妨げず、耐久性を高められる。
【図面の簡単な説明】
【０００７】
【図１】図１は、本考案の電気製品用符号錠を示す立体組立図である。
【図２】図２は、本考案の電気製品用符号錠を示す立体分解図である。
【図３】図３は、本考案の電気製品用符号錠のロック状態を示す断面図（一）である。
【図４】図４は、本考案の電気製品用符号錠のロック状態を示す断面図（二）である。
【図５】図５は、本考案の電気製品用符号錠が解錠することを示す使用表示図（一）である。
【図６】図６は、本考案の電気製品用符号錠が解錠することを示す使用表示図（二）である。
【図７】図７は、本考案の電気製品用符号錠が解錠することを示す使用表示図（三）である。
【図８】図８は、従来符号錠を示す断面図である。
【考案を実施するための形態】
【０００８】
まず、図１から図２を参照されたい。本考案の電気製品用符号錠において、錠本体１０と、カバー２０と、押しボタン３０と、固定部品４０を含む。錠本体１０は複数のダイヤル輪１１が套設され、錠本体１０においてダイヤル輪１１に凸設される一端にはロック用ブロック１２が形成され、かつロック用ブロック１２とダイヤル輪１１の間にバネ１３が挟設され、ロック用ブロック１２においてバネ１３に近い端が連結孔に挿しこまれ、しかもバネ１３から遠い端には回避溝１２２が形成され、該回避溝１２２の両側には二つのロックポールが平行に凸設され、カバー２０は対称する二つの部品であり、それにより錠本体１０をカバー・収納し、カバー２０の中における同様な錠本体１０の軸方向に沿って互いに貫通するダイヤル用空間２１と変位用空間２２が形成され、ダイヤル用空間２１がダイヤル輪１１を収納させ、変位用空間２２がロック用ブロック１２を収納させ、変位用空間２２がカバー２０を通り抜けて十字孔２２１を設けさせ、ロック用ブロック１２のロックポール１２３は十字孔２２１から外へ凸設され、変位用空間２２には組立室２３があり、該組立室２３が変位用空間２２に連通し、該組立室２３には変位用空間２３に平行にする縦溝２３１が設けられ、カバー２０には十字孔２２１の近くに固定溝２４が設けられ、カバー２０において十字孔２２１のある端の外周縁には係合部２５が形成され、その係合部２５はリング体２６に嵌め込まれるように構成されており、係合部２５はリング溝２５１が設けられ、リング溝２５１にはC形フック２７が嵌設され、C形フック２７がリング体２６を止めることにより、リング体２６はカバー２０から分離して外れることができず、リング体２６はロックロープ２８に連結し、そのロックロープ２８を巻くことによって盗難の防止の効果が得られる。押しボタン３０はカバー２０の組立室２３の中に設けられ、押しボタン３０の一端はカバー２０から外へ突き出して組立室２３に入れない頭部３１が形成され、押しボタン３０の他の一端から伸びた押し込み棒３２があり、その押し込み棒３２はロック用ブロック１２の連結孔１２１に挿入され、押しボタン３０において頭部３１と押し込み棒３２の間にはピース体３３が凸設され、ピース体３３はカバー２０の縦溝２３１の中に収納され、ピース体３３からの制限によって押しボタン３０は縦溝２３１に沿って移動するしかなく、固定部品４０には固定部４１が一端に形成され、他の一端に棒体４２が伸びており、その棒体４２の末端に一字形のロック棒４３が横に設けられ、固定部品４０は固定部４１によってカバー２０の固定溝２４に設けられることで、棒体４２が十字孔２２１から外へ凸設され、ロック用ブロック１２は回避溝１２２により固定部品４０を回避するため、ロックポール１２３は固定部品４０の二つの側面で移動することができ、押しボタン３０がロック用ブロック１２を連動させて固定部品４０へ押してロックオンの状態となる。
【０００９】
実際に使用する場合については、図２から図３を参照されたい。押しボタン３０は押し込み棒３２により錠本体１０のダイヤル用空間１２１に挿し込まれ、ロック用ブロック１２の回避溝１２２は固定部品４０を収納し、錠本体１０は押しボタン３０と固定部品４０と共に一つののカバー２０部品内に設置されることにより、錠本体１０のダイヤル輪１１をダイヤル用空間２１に設置する。ロック用ブロック１２は変位用空間２２に設置され、ロック用ブロック１２のロックポール１２３を十字孔２２１を通して出すことができ、同時に押しボタン３０をカバー２０の組立室に設置し、押しボタン３０がピース体３３により縦溝２３１の中に制限され、押しボタン３０の頭部３１がカバー２０から外へ凸設され、固定部品４０が固定部４１によりカバー２０の固定溝２４の中に固定され、固定部品４０の棒体４２が十字孔２２１から突き出して、二つのカバー２０を組み合わせて錠本体１０と押しボタン３０と固定部品４０を結合して固定させ、一方、カバー２０の係合部２５にリング体２６が套設され、かつC形フック２７を係合部リング溝２５１に嵌め込ませ、C形フック２７がリング体２６を止めてリング体２６が外れることができず、それにより錠の構造が仕上がる。
電気製品に使用する場合については、引き続き図４から図７を参照されたい。錠本体１０はダイヤル輪１１の回転によりロック用ブロック１２がバネ１３を押してダイヤル輪１１の方向へ移動させ、この場合には、カバー２０の外面から押しボタン３０を押すことによって、押しボタン３０のピース体３３が縦溝２３１に制限されるため、押しボタン３０は適切な程度だけで前後へ移動し、同時に、押し込み棒３２がロック用ブロック１２の連結孔１２１を連動させてロック用ブロック１２を押し動かすことができ、ロックポール１２３が十字孔２２１のところで内へ縮み、カバー２０の十字孔２２１には固定部品４０のロック棒４３だけが凸設され、一字形のロック棒４３により電気製品の一字孔Ａを通じてカバー２０を回すことによって、ロック棒４３が一字孔Ａの他の一端に横設されることができ、その状態では、直ちに固定部品４０を抜き出すことができない。更に押しボタン３０を外し、バネ１３によりロック用ブロック１２を押し戻し、ロック用ブロック１２のロックポール１２３が十字孔２２１から突き出し、ロックポール１２３が電気製品の一字孔Ａに押入り、カバー２０が回らない状態でロックし、最後はダイヤル輪１１を任意のダイヤルに回し、電気製品の盗難防止の目的が得られる。これに対し、解錠しようとした場合には、正しい番号を選び、押しボタン３０を押してロック用ブロック１２を縮ませ、カバー２０を回転させてロック棒４３は電気製品の一字孔Ａから外され、解錠することができる。
【００１０】
上述の具体的な実施例の構造により、以下の効果が得られる。（一）錠本体１０にはロック用ブロック１２にダイヤル用空間２１が設けられ、かつカバー２０には変位用空間２２にロック用ブロック１２が設けられ、変位用空間２２には互いに貫通した組立室２３があり、押しボタン３０は組立室２３の中に設けられ、押しボタン３０の押し込み棒３２はダイヤル用空間２１に差し込まれ、またカバー２０は組立室２３に変位用空間２２に平行する縦溝２３１が設けられるため、押しボタン３０のピース体３３が縦溝２３１に収納され、押しボタン３０は滑り移動することにより錠の開閉の操作ができ、それにより、押しボタン３０の頭部３１はカバー２０から露出した部分が縮まり、押しボタン３０が占める空間が減らされる。更に、ピース体３３が変位用空間２２に隠れることで、小さい粉塵や砂などがカバー２０の中に落ちにくくなり、押しボタン３０の性能を向上できる。
【００１１】
（二）カバー２０は対称する二つの部品であり、錠本体１０と押しボタン３０と固定部品４０を収納させ、カバー２０の係合部２５にはリング体２６が套設され、係合部２５のリング溝２５１にはC形フック２７が套設され、C形フック２７によりリング体２６を止めさせる。ロックオンの状態では、係合部リング溝２５１とC形フック２７が外れず、更にリング体２６によりカバー２０を解体させることができないため、それにより盗難防止の効果が向上できる。それに、カバー２０はリング体２６とC形フック２７に対応する構造であり、リング体２６とC形フック２７により固定されるため、外れることがなくなり、使用するとき、操作動作がその組み合わせ状態を妨げず、耐久性を高められる。
【００１２】
以上は、本考案の良い実施例の一部しか過ぎないため、本考案の実施範囲を制限するものではない。即ち、本実用新案登録請求の範囲内で行われる変化、修飾なども本考案の範囲内に属すべきである。
【符号の説明】
【００１３】
〔本考案〕
１０        錠本体
１１        ダイヤル輪
１２        ロック用ブロック
１２１      連結孔
１２２      回避溝
１２３      ロックポール
１３        バネ
２０        カバー
２１        ダイヤル用空間
２２        変位用空間
２２１      十字孔
２３        組立室
２３１      縦溝
２４        固定溝
２５        係合部
２５１      リング溝
２６        リング体
２７        C形フック
２８        ロックロープ
３０        押しボタン
３１        頭部
３２        押し込み棒
３３        ピース体
４０        固定部品
４１        固定部
４２        棒体
４３        ロック棒
Ａ          一字孔
〔従来の技術〕
５０        中心部
５１        符号調整用ボタン
５２        バネ
５３        制動部品
５３１      押し溝
５３２      位置制限突き縁
５４        コントロールボタン
５４１      押し突き縁
５５        コントロール棒
６０        固定部品
６１        バネ
６２        カバー
６２１      固定孔
６２２      十字孔
６３        係合部
６４        Ｔ形位置制限棒
７０        カバーの組合せ
７１        係合溝
７２        中心溝
７３        制動溝
７４        固定孔
７５        固定棒
【図１】
0003198592.tif 000003
【図２】
0003198592.tif 000004
【図３】
0003198592.tif 000005
【図４】
0003198592.tif 000006
【図５】
0003198592.tif 000007
【図６】
0003198592.tif 000008
【図７】
0003198592.tif 000009
【図８】
0003198592.tif 000010